(57)【要約】【課題】不特定多数によって使用される画像データの送受信サービスにおいて、他人宛の画像データを故意または誤って取得されることを防止する画像送受信システムを提供する。【解決手段】不特定多数によって使用される画像データの送受信サービスを実行する画像送受信システムであって、送信装置は、データ保管サーバに対し、受信する受信装置および当該送信装置の設置されている店舗名と画像データを送信し、データ保管サーバは、受信装置および送信装置の店舗名と画像データとを、画像データを特定する文書特定情報に関連付けて記憶すると共に、受信装置から、当該受信装置および送信元の送信装置の店舗名と文書特定情報とによる送信要求を受けた際に、文書特定情報に関連付けられた受信装置および送信装置の店舗名と合致した文書特定情報に関連付けられた画像データを返信する。さらに、送信側で、受信可能な時間帯を指定することもできる。【選択図】図１
2010093327.tif 000002
【特許請求の範囲】
【請求項１】
画像データを送信する送信装置と、前記送信装置から送信された画像データを保管するデータ保管サーバと、前記データ保管サーバから前記画像データを受信する受信装置と、をネットワークで接続して構成される画像データ送受信システムであって、
前記送信装置から画像データを送信する際には、前記データ保管サーバに対し、前記画像データと共に、当該送信装置および当該画像データを受信する受信装置を特定する識別情報を送信し、
前記データ保管サーバは、前記送信装置から送信された前記画像データと前記識別情報を関連付けて記憶すると共に、前記画像データを特定する文書特定情報を前記送信装置に返信し、受信装置から送信された前記文書特定情報と前記識別情報を受信した際に、当該文書特定情報で特定される画像データと識別情報が関連付けられて記憶されている場合、該記憶された画像データを受信装置に返信する
ことを特徴とする画像データ送受信システム。
【請求項２】
請求項１に記載の画像データ送受信システムにおいて、前記受信装置および前記送信装置を特定する識別情報は、それらの装置が設置されている店舗または地域を特定する情報であることを特徴とする画像データ送受信システム。
【請求項３】
請求項１または２に記載の画像データ送受信システムにおいて、
前記送信装置から画像データを送信する際には、前記画像データと共に、当該画像データを受信する受信装置および当該送信装置を特定する識別情報および当該画像データの受信可能な受信時間帯を併せて送信し、
前記データ保管サーバは、前記送信装置から送信された前記画像データと前記識別情報と前記受信時間帯を関連付けて記憶すると共に、前記画像データを特定する文書特定情報を前記送信装置に返信し、
受信装置から送信された前記文書特定情報と前記識別情報を受信した時間が、当該文書特定情報で特定される画像データと識別情報に関連付けられた受信時間帯内であれば、該記憶された画像データを受信装置に返信する
ことを特徴とする画像データ送受信システム。
【発明の詳細な説明】
【技術分野】
【０００１】
本発明は、画像データ送受信システムに関し、画像形成装置で読み取った原稿の画像データを送信する送信サービスと、送信された画像データを画像形成装置で受信して印刷する受信サービスを提供する画像データ送受信システムに関する。
【背景技術】
【０００２】
街角のコンビニエンスストアにおいて、ファクシミリデータの送受信機能、外部コンピュータから送信されたプリントジョブに基づいてプリント処理を行うプリンタ機能、原稿のコピー機能等を搭載したデジタル複合機（ＭＦＰ）が設置され、これらの機能が不特定のユーザに対して印刷サービスおよびファクシミリ送受信サービス等を有償にて提供することが可能となっている。
【０００３】
このようなＭＦＰを設置するコンビニエンスストアをネットワークで接続し、ファクシミリデータ送受信サービスを用いて、一方のＭＦＰから読み込んだ原稿の画像データを他方のＭＦＰにて受信して印刷することが可能となっている。
【０００４】
例えば、特許文献１の技術では、コンビニエンスストア等に設置されたファクシミリ装置に対して画像データを送信するときには、宛先のファクシミリ装置の設置場所（店舗名）を指定するとともに画像データをサーバに送信し、サーバは受信した画像データを一旦記憶しておく。
ユーザは、受信側のファクシミリ装置から送信要求をサーバに送ることによって、一旦記憶しておいた画像データを受信し、認証情報（暗証番号）を入力することによって自分宛の画像データを印刷することができる。
【特許文献１】特開平１１−１０３３７４号公報
【発明の開示】
【発明が解決しようとする課題】
【０００５】
しかし、特許文献１のファクシミリ装置にあっては、コンビニエンスストアに設置されているファクシミリ装置に個人認証用の認証情報を入力しさえすれば、特定のユーザに送られてきた画像データを出力することができる。
したがって、特許文献１の技術では、故意または誤って他人の暗証番号などを入力することで、他人宛の画像データを取得されてしまう可能性がありセキュリティ上に問題がある。
【０００６】
本発明は、上述の実情を考慮してなされたものであって、不特定多数によって使用される画像データの送受信サービスにおいて、他人宛の画像データを故意または誤って取得されることを防止する画像データ送受信システムを提供することを目的とする。
【課題を解決するための手段】
【０００７】
上記課題を解決するために、本発明の画像データ送受信システムは、画像データを送信する送信装置と、前記送信装置から送信された画像データを保管するデータ保管サーバと、前記データ保管サーバから前記画像データを受信する受信装置と、をネットワークで接続して構成される画像データ送受信システムであって、前記送信装置から画像データを送信する際には、前記データ保管サーバに対し、前記画像データと共に、当該送信装置および当該画像データを受信する受信装置を特定する識別情報を送信し、前記データ保管サーバは、前記送信装置から送信された前記画像データと前記識別情報を関連付けて記憶すると共に、前記画像データを特定する文書特定情報を前記送信装置に返信し、受信装置から送信された前記文書特定情報と前記識別情報を受信した際に、当該文書特定情報で特定される画像データと識別情報が関連付けられて記憶されている場合、該記憶された画像データを受信装置に返信する。
【０００８】
さらに、前記受信装置および前記送信装置を特定する識別情報は、それらの装置が設置されている店舗または地域を特定する情報、例えば、店舗名や地域名とするのが好もしい。
【０００９】
さらに、前記送信装置から画像データを送信する際には、前記画像データと共に、当該画像データを受信する受信装置および当該送信装置を特定する識別情報および当該画像データの受信可能な受信時間帯を併せて送信する。
前記データ保管サーバでは、前記送信装置から送信された前記画像データと前記識別情報と前記受信時間帯を関連付けて記憶すると共に、前記画像データを特定する文書特定情報を前記送信装置に返信する。
そして、前記データ保管サーバでは、受信装置から送信された前記文書特定情報と前記識別情報を受信した時間が、当該文書特定情報で特定される画像データと識別情報に関連付けられた受信時間帯内であれば、該記憶された画像データを受信装置に返信する。
これにより、画像データ送受信システムのセキュリティ性がより一層向上する。
【発明の効果】
【００１０】
本発明によれば、不特定多数によって使用される画像データの送受信サービスにおいて、他人宛の画像データが故意または誤って取得されることを防止できる。
【発明を実施するための最良の形態】
【００１１】
以下、図面を参照して本発明の画像データ送受信システムに係る好適な実施形態について説明する。
本画像データ送受信システムは、所定の設置範囲内に画像データの送信装置や受信装置を設置し、複数の設置範囲の送信装置や受信装置をネットワークで接続して構築するシステムであり、当該システムによって不特定のユーザに対して、画像データの送受信環境を有料で提供する。
【００１２】
ここで、設置範囲を特定する識別情報は、例えば、コンビニエンスストア、公共施設、貸しオフィス、大学、ホテル等の施設（以下、店舗という）、地域あるいは装置自身のことを指し、この設置範囲内に１台以上の送信装置や受信装置が設置されるものとする。また、送信装置と受信装置はそれぞれ単一の装置であっても、一体となった装置であっても構わない。
以下、本実施形態では、送信装置と受信装置とが一体となった多機能型デジタル複合機を用い、設置範囲を特定する識別情報である店舗や地域に多機能型デジタル複合機が複数台設置されているものとして説明する。
【００１３】
図１は、本実施形態に係る画像データ送受信システムの構成を説明する図である。図１において、画像データ送受信システムは、複数の店舗に設置されている１台以上のデータ送受信装置１００と、データ保管センタに設置されているデータ保管サーバ２００が通信ネットワークＬＮを介して接続されている。
ここで、各店舗に設置されたデータ送受信装置１００は、多機能型のデジタル複合機（以下、ＭＦＰという）であり、ユーザが使用し、宛先のデータ送受信装置１００に対して原稿の画像データを送信する送信装置としても、また、送られてきた原稿の画像データを出力する受信装置としても使用されるものである。
尚、データ保管サーバ２００に保管されるデータは、データ保管サーバ２００にネットワークで接続されたデータファイルサーバに保管するようにしても構わない。
【００１４】
本実施形態の動作の概要を次の例を用いて説明する。
今、ユーザＡが所持している原稿を遠隔地にいるユーザＢさんに渡す例を考える。
まず、ユーザＡは送信したい原稿を持参して、最寄りの店舗（ここでは、店舗ＡＢＣとする）へ行き、ユーザＢのいる最寄りの店舗（ここでは、店舗ＸＹＺとする）を指定して、原稿を店舗ＡＢＣのＭＦＰ１００から読み取って、その読み取った画像データをデータ保管サーバ２００に送信する。
【００１５】
データ保管サーバ２００は、受け取った画像データに識別子を付与し、識別子、画像データ、送信元の店舗名（店舗ＡＢＣ）および宛先の店舗名（店舗ＸＹＺ）を関連付けて一旦保管し、その識別子を店舗ＡＢＣのＭＦＰ１００に通知する。
【００１６】
店舗ＡＢＣのＭＦＰ１００は、受信した識別子、送信元の店舗名（店舗ＡＢＣ）および宛先の店舗名（店舗ＸＹＺ）をユーザＡに通知する。このとき、送信した原稿のデータ量に応じて料金をユーザＡに要求する。
ユーザＡは、ユーザＢに原稿を送ったことを知らせる電子メール等で、通知された識別子、送信元の店舗名（店舗ＡＢＣ）および宛先の店舗名（店舗ＸＹＺ）を知らせる。
【００１７】
ユーザＢは、データ保管サーバ２００に原稿が送られたことを電子メール等で知り、店舗ＸＹＺへ出向き、ＭＦＰ１００を用いて、通知された識別子および送信元の店舗名（店舗ＡＢＣ）を入力する。
店舗ＸＹＺのＭＦＰ１００は、入力された識別子、送信元の店舗名（店舗ＡＢＣ）および宛先の店舗名（店舗ＸＹＺ）をデータ保管サーバ２００へ送信して、画像データを要求する。
【００１８】
データ保管サーバ２００は、受信した識別子、送信元の店舗名（店舗ＡＢＣ）および宛先の店舗名（店舗ＸＹＺ）と同じ画像データを検索し、検索された画像データを店舗ＸＹＺのＭＦＰ１００へ返信する。
店舗ＸＹＺのＭＦＰ１００は、受信した画像データを料金と引き換えに印刷し、ユーザＢに渡す。
【００１９】
以上によりユーザＡは、遠隔地にいるユーザＢに原稿を引き渡すことができる。
また、送信した画像データの識別子、送信元の店舗名（店舗ＡＢＣ）および宛先の店舗名（店舗ＸＹＺ）を電子情報としてユーザＡに知らせ、これを携帯端末に記録しておき、この電子情報をユーザＢに原稿を送ったことを知らせる電子メールに添付して送信するようにしてもよい。
【００２０】
また、ユーザＡとユーザＢとが同一人であっても構わない。例えば、ユーザＡが出先で印刷物を入手したいときには、原稿の画像データを出先の店舗宛（店舗ＸＹＺ）に送信しておき、送信した画像データの識別子、送信元の店舗名（店舗ＡＢＣ）および宛先の店舗名（店舗ＸＹＺ）を電子情報として自分の携帯端末に取り込んでおく。
そして、出先の店舗で携帯端末をデータ送受信装置にかざして電子情報を読み取らせ、送信しておいた画像データを取得して印刷する。
【００２１】
以下、本実施形態の構成および動作を詳細に説明する。
図２は、データ送受信装置１００の構成をブロック図である。同図において、データ送受信装置１００は、複写機能やファクシミリ機能など多機能型のデジタル複合機（ＭＦＰ）で構成し、店舗に設置され、インターネット等のネットワークＬＮで他の店舗のデータ送受信装置１００と接続し、不特定多数のユーザ間で共用される。
【００２２】
データ送受信装置１００は、ＣＰＵ（Central Processing Unit）１０１Ａ、ＲＯＭ（Read only Memory）１０１Ｂ、ＲＡＭ（Random Access Memory）１０１Ｃからなるマイクロコンピュータ１０１、処理プログラムや処理に必要なデータ等が記憶されている記憶装置１０２、タッチパネルやキーなどの操作装置１０３、液晶パネル等の表示装置１０４、通信装置１０５、読取装置１０６、印刷装置１０７がバスを介して接続されている。
【００２３】
通信装置１０５は、ネットワークＬＮに接続し、データ送受信装置１００とデータ保管サーバ２００との間で通信を実行するための装置である。
読取装置１０６は、所謂スキャナ機能を実現する装置であり、原稿３１０を走査して画像を読み取る装置である。
印刷装置１０７は、所謂プリンタ機能を実現する装置であり、画像データやテキストデータを印刷して印刷物３２０として出力する装置である。
尚、データ送受信装置１００の処理プログラムの一例としては、データ送信サービスやデータ受信サービスを実行するプログラム等がある。
【００２４】
図３は、データ保管サーバ２００の構成をブロック図である。
データ保管サーバ２００は、コンピュータで構成し、インターネット等のネットワークＬＮで各店舗のデータ送受信装置１００と接続し、データ送受信装置１００からの要求によって画像データを一時保管する。
【００２５】
データ保管サーバ２００は、ＣＰＵ２０１Ａ、ＲＯＭ２０１Ｂ、ＲＡＭ２０１Ｃからなるマイクロコンピュータ２０１、処理プログラムが記憶された記憶装置２０２、保管データ記憶装置２０３、キーボードなどの操作装置２０４、液晶ディスプレイなどの表示装置２０５、通信装置２０６がバスを介して接続されている。
【００２６】
尚、データ保管サーバ２００の処理プログラムの一例としては、データ送信サービスやデータ受信サービスに際して、データ送受信装置１００から送信されたデータの蓄積、データ送受信装置１００から受信されたデータ取得要求に対する検証を実行するプログラム等がある。
【００２７】
次に、データ送受信装置１００およびデータ保管サーバ２００で構成される画像データ送受信システムの処理を詳細に説明する。
まず、最初にデータ送受信装置１００では、図４のフローチャートに示す処理手順が実行される。
【００２８】
データ送受信装置１００に電源が投入されると、初期表示処理が実行される（ステップＳ１）。この初期表示処理は、データ送受信装置１００の表示装置１０４に図５に例示したようなサービス選択画面を表示し、ユーザの希望するサービスの選択指示を促す。
【００２９】
図５のサービス選択画面５００には、コピーサービス５０１、プリントサービス５０２、データ送信サービス５０３、データ受信サービス５０４等の選択ボタンが表示され、ユーザは操作装置１０３のキーあるいはタッチにより自分の希望するサービスを選択指示する。
【００３０】
次に、サービス選択画面５００からデータ送信サービス５０３が選択されたことを表す入力指示がなされた場合（ステップＳ２でＹＥＳ）、データ送信サービス処理が実行され（ステップＳ３）、実行後、ステップＳ１の初期表示処理に戻る。
【００３１】
また、サービス選択画面５００からデータ受信サービス５０４が選択されたことを表す入力指示がなされた場合（ステップＳ２でＮＯ，ステップＳ４でＹＥＳ）、データ受信サービス処理が実行され（ステップＳ５）、実行後、ステップＳ１の初期表示処理に戻る。
【００３２】
また、サービス選択画面５００からコピーサービス５０１やプリントサービス５０２等の他のサービスが選択されたことを表す入力指示がなされた場合（ステップＳ２でＮＯ，ステップＳ４でＮＯ）、他のサービス処理が実行され（ステップＳ６）、実行後、ステップＳ１の初期表示処理に戻る。
【００３３】
［データ送信サービス］
次に、データ送信サービスについて説明する。
図６は、データ送受信装置１００におけるデータ送信サービスの処理手順を示すフローチャートである。
【００３４】
まず、ユーザからデータ送信サービスが選択されると、宛先選択表示処理が実行される（ステップＳ１１）。
この宛先選択表示処理は、データ送受信装置１００の表示装置１０４に送信されるデータの宛先の店舗名の候補を表示し、ユーザが希望する宛先の店舗名の選択指示を促す。この宛先の店舗名は、送信されたデータを受け取る（受信する）ユーザの最寄りの店舗名であり、表示装置１０４に表示された候補から選択される。また、宛先の店舗名は、コンビニエンスストア、公共施設、貸しオフィス、大学、ホテル等の施設の店舗名や、地域を表わす地域名、あるいは、データ送受信装置１００の装置番号であっても構わない。
この宛先選択表示処理で宛先の店舗名が選択されると、宛先の店舗名を表わす識別子（宛先ＩＤ）に変換される。
【００３５】
さらに、宛先店舗においてデータを受信できる受信時間帯を指定することもできる。この指定を加えることによって、送信元、宛先および受信時間帯を知らない人からの不正なアクセスを防止できるので、よりセキュリティ性が向上する。
【００３６】
次に、宛先の店舗名（および、受信時間帯）が選択されると、原稿の読み取りが開始される（ステップＳ１２）。
まず、「原稿を読取台に設定してから読取開始ボタンを押してください。」のメッセージが表示装置１０４に表示されるので、ユーザは送信したい原稿３１０を読取台へ設定した後、読取開始ボタンをキーやタッチで指定すると、読取装置１０６により原稿３１０がすべて読み取られる。
【００３７】
次に、原稿３１０の読み取りが完了すると、データ保管サーバ２００に対して読み取った画像データの登録要求を送信する（ステップＳ１３）。
この登録要求には、宛先の店舗名（宛先ＩＤ）、当該データ送受信装置１００が設置されている店舗名（送信元ＩＤ）および読み取った画像データが付加される。さらに、受信時間帯が指定されている場合には、登録要求にこの受信時間帯も付加する。
また、データ保管サーバ２００のＩＰアドレスは、当該データ送受信装置１００に予め設定しておく。
【００３８】
次に、データ保管サーバ２００からの登録完了通知を待つ（ステップＳ１４）。
この登録完了通知では、登録を完了した画像データを識別する識別子（文書ＩＤ）が通知される。
【００３９】
次に、データ送信サービス料金徴収処理を実行する（ステップＳ１５）。
予め決められた算定表によって、ステップＳ１３で送信したデータ量に応じた料金を計算して、ユーザに提示し、ユーザから徴収する。この料金は、電子マネーやクレジットまたは現金等によって支払われる。
【００４０】
ユーザの支払いが完了すると（ステップＳ１６でＹＥＳ）、料金確定通知をデータ保管サーバ２００に送信する（ステップＳ１７）。
また、この時点で料金が支払われないと（ステップＳ１６でＮＯ）、登録無効通知をデータ保管サーバ２００に対して送信し（ステップＳ１９）、データ送信サービス処理を終了する。
【００４１】
次に、データ保管サーバ２００からの料金確定通知の応答を待ち（ステップＳ１８）、データ送信サービス完了処理を実行し（ステップＳ２０）、データ送信サービス処理を終了する。
このデータ送信サービス完了処理では、ユーザに対して表示装置１０４または印刷装置１０７に４つの情報（宛先の店舗名、当該データ送受信装置の設置されている店舗名、文書として登録された画像データの識別子（文書ＩＤ）、データ保管サーバのＩＰアドレス）を出力する。さらに、受信時間帯が指定されている場合には、受信時間帯も出力する。
この４つまたは５つの情報は、データ保管サーバ２００から画像データを取得するときにデータ受信サービスで使用する。
【００４２】
尚、上記ステップＳ１２では、原稿３１０を読取装置１０６で読み取るようにしていたが、記録媒体から読み取るようにしても構わない。
また、上記の４つまたは５つの情報を表示装置１０４や印刷装置１０７に出力していたが、これらの４つまたは５つの情報を携帯端末に電子情報として記憶させるようにしてもよい。この場合、データ送受信装置１００および携帯端末に短距離無線通信機能を備え、データ送信サービスの完了時に、データ送受信装置１００から携帯端末に電子情報を書き込むようにする。
【００４３】
図７は、データ保管サーバ２００におけるデータ送信サービスの処理手順を示すフローチャートである。
まず、データ保管サーバ２００が立ち上げられると、データ送受信装置１００からのデータ登録要求があるまで待ち（ステップＳ２１）、データ登録要求を受信する（ステップＳ２２）。
データ登録要求には、登録する画像データのほかに、宛先の店舗名（宛先ＩＤ）、送信元の店舗名（送信元ＩＤ）や受信時間帯が送られてくる。
【００４４】
次に、登録する画像データを保管データ記憶装置２０３に記録する（ステップＳ２３）。
この保管データ記憶装置２０３へは、７つの情報（画像データの登録日、画像データの削除予定日、画像データを識別するための唯一名である識別子（文書ＩＤ）、宛先の店舗名（宛先ＩＤ）、送信元の店舗名（送信元ＩＤ）、受信時間帯、画像データ）を関連付けて登録する。ここで、受信時間帯が指定されていなかった場合には、データなしの情報が登録される。
【００４５】
次に、登録要求を送信したデータ送受信装置１００へ登録完了通知を送信する（ステップＳ２４）。この登録完了通知には、登録した画像データの文書ＩＤを付加して送信する。
次に、データ送受信装置１００から料金確定通知が送られてくるのを待ち、送られてくると（ステップＳ２５でＹＥＳ）、料金確定応答を返信し（ステップＳ２６）、ステップＳ２１へ戻って、次のデータ登録要求を受信するまで待つ。
【００４６】
また、データ送受信装置１００から登録無効通知が送られてくると（ステップＳ２５でＮＯ）、登録した画像データを保管データ記憶装置２０３から削除して（ステップＳ２７）、ステップＳ２１へ戻って、次のデータ登録要求を受信するまで待つ。
【００４７】
尚、登録日から所定の期間が経過してもデータ受信サービスが利用されないときには、保管されていた画像データを削除するようにしてもよい。この場合、データ送信サービスの完了時に削除予定日をユーザに通知しておく。
【００４８】
[データ受信サービス]
次に、データ受信サービスについて説明する。
図８は、データ送受信装置１００におけるデータ受信サービスの処理手順を示すフローチャートである。
まず、ユーザからデータ受信サービスが選択されると、受信データ情報取得処理が実行される（ステップＳ３１）。
【００４９】
この受信データ情報取得処理は、取得したい画像データを送信した店舗名（あるいは地域名、装置番号）を表示された候補から選択し、取得したい画像データの文書ＩＤおよび取得したい画像データを保管しているデータ保管サーバ２００のＩＰアドレスをユーザに入力させる。
この受信データ情報取得処理で店舗名（あるいは地域名、装置番号）が選択されると識別子（送信元ＩＤ）に変換される。
【００５０】
次に、受信データ情報が入力されると、入力されたＩＰアドレスのデータ保管サーバ２００に対して、データ取得要求がされる（ステップＳ３２）。
このデータ取得要求には、文書ＩＤ、送信元ＩＤおよび当該データ送受信装置１００の設置されている店舗名（宛先ＩＤ）が付加される。
【００５１】
次に、データ保管サーバ２００からデータ取得の要求が無効であるとの通知を受け取ると（ステップＳ３３でＮＯ）、ユーザの要求が無効である旨のエラーメッセージを表示装置１０４に表示して（ステップＳ４１）、データ受信サービス処理を終了する。
このエラーは、ユーザの指定した送信元ＩＤ、文書ＩＤをもつ画像データが指定したデータ保管サーバ２００に登録されていないことによるものであり、これらの指定が間違っているか、または、ユーザが立ち寄った店舗がそもそも間違っている場合に起きる。または、データ取得要求した時間が画像データの取得可能な受信時間帯内でなかった場合に起きる。
【００５２】
一方、データ保管サーバ２００からデータ取得の要求が有効であるとの通知を受け取ると（ステップＳ３３でＹＥＳ）、データ保管サーバ２００から送られてくるすべてのデータを取得する（ステップＳ３４）。
【００５３】
次に、データ受信サービス料金徴収処理を実行する（ステップＳ３５）。
予め投入された金額に応じて、取得したデータを印刷して印刷物３２０を得る。この金額は、予め決められた算定表によって、印刷画像の品質によって計算され、投入した金額が少ないときには投入促進メッセージが表示装置１０４に表示される。また、金額は、電子マネーやクレジット等によって支払われてもよい。
【００５４】
ユーザの支払いが完了すると（ステップＳ３６でＹＥＳ）、料金確定通知をデータ保管サーバ２００に送信する（ステップＳ３７）。
また、この時点で料金が支払われないと（ステップＳ３６でＮＯ）、取得無効の通知をデータ保管サーバ２００に対して送信し（ステップＳ４０）、データ送信サービス処理を終了する。
【００５５】
次に、データ保管サーバ２００からの料金確定通知の応答を待ち（ステップＳ３８）、データ受信サービスが完了した旨のメッセージを表示装置１０４に表示し（ステップＳ３９）、データ受信サービス処理を終了する。
【００５６】
尚、ステップＳ３１では、受信データ情報（文書ＩＤ、送信元の店舗名）をユーザに入力させていたが、これらの情報を携帯端末の電子情報として記憶しておけば、入力ミスを防止することができる。
この場合、データ送受信装置１００および携帯端末に短距離無線通信機能を備え、データ受信サービスの開始時に、携帯端末に記憶している電子情報をデータ送受信装置１００に読み込むようにする。
【００５７】
図９は、データ保管サーバ２００におけるデータ受信サービスの処理手順を示すフローチャートである。
まず、データ保管サーバ２００が立ち上げられると、データ送受信装置１００からのデータ取得要求があるまで待ち（ステップＳ５１）、データ取得要求を受信する（ステップＳ５２）。
データ取得要求には、取得する画像データの文書ＩＤ、宛先の店舗名（宛先ＩＤ）、送信元の店舗名（送信元ＩＤ）が付加されている。
【００５８】
次に、取得する画像データの文書ＩＤに対する保管データ記憶装置２０３中の宛先ＩＤと送信元ＩＤが、データ取得要求に付加されていた宛先の店舗名（宛先ＩＤ）と送信元の店舗名（送信元ＩＤ）と同一か否かを調べ、同一である場合にはデータ取得要求が有効であると判定し、同一でない場合にはデータ取得要求が無効であると判定する（ステップＳ５３）。
【００５９】
上記判定に加えて、データ取得要求と保管データ記憶装置２０３中の宛先ＩＤと送信元ＩＤが同一であっても、当該画像データに受信可能な時間帯が指定されている場合、データ取得要求を受信した時間がこの受信時間帯内でなければデータ取得要求が無効であると判定する。
【００６０】
データ取得要求が無効である場合（ステップＳ５４でＮＯ）、データ取得要求無効通知を返信し（ステップＳ６０）、ステップＳ５１へ戻って、次のデータ取得要求を受信するまで待つ。
【００６１】
一方、データ取得要求が有効である場合（ステップＳ５４でＹＥＳ）、データ取得要求有効通知を返信し（ステップＳ５５）、要求された画像データを保管データ記憶装置２０３から取り出して、データ送受信装置１００へ返信し、すべての画像データの送信が完了すると送信完了通知を送信する（ステップＳ５６）。
【００６２】
次に、データ送受信装置１００から料金確定通知が送られてくるのを待ち、送られてくると（ステップＳ５７でＹＥＳ）、料金確定応答を返信し（ステップＳ５８）、送信した画像データを保管データ記憶装置２０３から削除し、ステップＳ５１へ戻って、次のデータ登録要求を受信するまで待つ。
また、データ送受信装置１００から取得無効通知が送られてくると（ステップＳ５７でＮＯ）、ステップＳ５１へ戻って、次のデータ取得要求を受信するまで待つ。
【００６３】
以上のように、不特定多数によって使用される画像データの送受信サービスにおいて、取得する画像データの送信元を限定することによって、他人宛の画像データが故意または誤って取得されることを防止できる画像データ送受信システムを構築することができる。
さらに、送信側で受信可能な受信時間帯を指定することによって、画像データ送受信システムのセキュリティ性が向上する。
【００６４】
さらに、送信元のデータ送受信装置１００は、データ送信サービスを利用した時点で特定されるので、送信元の店舗名の代わりにデータ送受信装置１００の装置番号を用いることにすれば、他人に自分宛の画像データが引き出されることをさらに防止することができる。
【００６５】
尚、本発明は上述した実施形態に限定されず、本発明の要旨を逸脱しない範囲内で各種の変形、修正が可能であるのは勿論である。
【図面の簡単な説明】
【００６６】
【図１】実施形態に係る画像データ送受信システムの構成を説明する図である。
【図２】データ送受信装置の構成をブロック図である。
【図３】データ保管サーバの構成をブロック図である。
【図４】データ送受信装置の初期表示処理を示すフローチャートである。
【図５】サービス選択画面の例である。
【図６】データ送受信装置におけるデータ送信サービスの処理手順を示すフローチャートである。
【図７】データ保管サーバにおけるデータ送信サービスの処理手順を示すフローチャートである。
【図８】データ送受信装置におけるデータ受信サービスの処理手順を示すフローチャートである。
【図９】データ保管サーバにおけるデータ受信サービスの処理手順を示すフローチャートである。
【符号の説明】
【００６７】
１００…データ送受信装置（ＭＦＰ）、１０１…マイクロコンピュータ、１０１Ａ…ＣＰＵ、１０１Ｂ…ＲＯＭ、１０１Ｃ…ＲＡＭ、１０２…記憶装置、１０３…操作装置、１０４…表示装置、１０５…通信装置、１０６…読取装置、１０７…印刷装置、３１０…原稿、３２０…印刷物、５００…サービス選択画面、５０１…コピーサービス、５０２…プリントサービス、５０３…データ送信サービス、５０４…データ受信サービス、２００…データ保管サーバ、２０１…マイクロコンピュータ、２０１Ａ…ＣＰＵ、２０１Ｂ…ＲＯＭ、２０１Ｃ…ＲＡＭ、２０２…記憶装置、２０３…保管データ記憶装置、２０４…操作装置、２０５…表示装置、２０６…通信装置。
【図１】
2010093327.tif 000003
【図２】
2010093327.tif 000004
【図３】
2010093327.tif 000005
【図４】
2010093327.tif 000006
【図５】
2010093327.tif 000007
【図６】
2010093327.tif 000008
【図７】
2010093327.tif 000009
【図８】
2010093327.tif 000010
【図９】
2010093327.tif 000011